(57)【要約】【課題】車室内空間に放散される揮発性有機化合物放散量を推定する車室内装部品の揮発性有機化合物放散量推定方法を提供する。【解決手段】内装部品毎に測定した揮発性有機化合物放散量を表す部品ＶＯＣ放散量データ及び各内装部品の表面積を表す部品設計データを保持する部品データベース１１と、各内装部品の表面積に対する車室内空間側に露出する車室内空間側面積の割合を部品係数として算出する部品係数演算手段１６と、各内装部品における揮発性有機化合物放散量と当該内装部品の部品係数とを乗じて装着状態における各内装部品からの揮発性有機化合物推定放散量を算出する部品ＶＯＣ放散量演算手段１８と、内装部品からの揮発性有機化合物推定放散量を積算して総ＶＯＣ推定放散量を算出するＶＯＣ総放散量演算手段２０とを備える。設計段階において車室内空間に放散される揮発性有機化合物放散量を容易に推定及び評価することができる。【選択図】図１
2010266348.tif 000002
【特許請求の範囲】
【請求項１】
自動車の車室内空間に内装部品から放散される揮発性有機化合物の放散量を推定する車室内装部品の揮発性有機化合物放散量推定方法であって、
車室内に装着される内装部品を測定した揮発性有機化合物放散量を表す部品ＶＯＣ放散量データ及び内装部品の表面積を表す部品設計データを保持する部品データベースを有し、
該部品データベースの部品設計データに基づき内装部品の表面積に対する車室内に装着した状態における対応する内装部品の車室内空間側に露出する車室内空間側面積の割合を部品係数として算出し、
上記部品データベースの部品ＶＯＣ放散量データに基づく内装部品における揮発性有機化合物放散量と上記内装部品の部品係数とを乗じて内装部品からの揮発性有機化合物推定放散量を算出することを特徴とする車室内装部品の揮発性有機化合物放散量推定方法。
【請求項２】
自動車の車室内空間に内装部品から放散される揮発性有機化合物の放散量を推定する車室内装部品の揮発性有機化合物放散量推定方法であって、
車室内に装着される内装部品毎に測定した揮発性有機化合物放散量を表す部品ＶＯＣ放散量データ及び各内装部品の表面積を表す部品設計データを保持する部品データベースを有し、
該部品データベースの部品設計データに基づき各内装部品の表面積に対する車室内に装着した状態における対応する内装部品の車室内空間側に露出する車室内空間側面積の割合を部品係数として算出し、
上記部品データベースの部品ＶＯＣ放散量データに基づく各内装部品における揮発性有機化合物放散量と上記当該内装部品の部品係数とを乗じて各内装部品からの揮発性有機化合物推定放散量を算出し、
各内装部品からの揮発性有機化合物推定放散量を積算して総揮発性有機化合物推定放散量を算出することを特徴とする車室内装部品の揮発性有機化合物放散量推定方法。
【請求項３】
自動車の車室内空間に内装部品から放散される揮発性有機化合物の放散量を推定する車室内装部品の揮発性有機化合物放散量推定方法であって、
車室内に装着される内装部品毎に測定した種別毎の揮発性有機化合物放散量を表す部品ＶＯＣ放散量データ及び各内装部品の表面積を表す部品設計データを保持する部品データベースを有し、
該部品データベースの部品設計データに基づき各内装部品の表面積に対する車室内に装着した状態における対応する内装部品の車室内空間側に露出する車室内空間側面積の割合を部品係数として算出し、
上記部品データベースの部品ＶＯＣ放散量データに基づく各内装部品における種別毎の揮発性有機化合物放散量と上記当該内装部品の部品係数とを乗じて各内装部品から放散される種別毎の揮発性有機化合物推定放散量を算出し、
該部品ＶＯＣ放散量演算手段により算出された各内装部品からの種別毎の揮発性有機化合物推定放散量をそれぞれ積算して種別毎の総揮発性有機化合物推定放散量を算出することを特徴とする車室内装部品の揮発性有機化合物放散量推定方法。
【請求項４】
上記車室内空間側面積は、
各内装部品の設計データベースに基づいて算出されたことを特徴とする請求項１〜３のいずれか１項に記載の車室内装部品の揮発性有機化合物放散量推定方法。
【請求項５】
上記車室内空間側面積は、
上記各内装部品の部品設計データと、内装部品が配設された車室内のインテリアを表す車室内デザインデータとに基づいて算出されたことを特徴とする請求項１〜３のいずれか１項に記載の車室内装部品の揮発性有機化合物放散量推定方法。
【請求項６】
上記車室内空間側面積は、
上記各内装部品の部品設計データと、車体設計の図面作成システムのＣＡＴＩＡデータとに基づいて算出されたことを特徴とする請求項１〜３のいずれか１項に記載の車室内装部品の揮発性有機化合物放散量推定方法。
【請求項７】
自動車の車室内空間に内装部品から放散される揮発性有機化合物の放散量を推定する車室内装部品の揮発性有機化合物放散量推定装置であって、
車室内に装着される内装部品毎に測定した揮発性有機化合物放散量を表す部品ＶＯＣ放散量データ及び各内装部品の表面積を表す部品設計データを保持する部品データベースと、
該部品データベースの部品設計データに基づき各内装部品の表面積に対する車室内に装着した状態における対応する内装部品の車室内空間側に露出する車室内空間側面積の割合を部品係数として算出する部品係数演算手段と、
上記部品データベースの部品ＶＯＣ放散量データに基づく各内装部品における揮発性有機化合物放散量と部品係数演算手段から当該内装部品の部品係数とを乗じて各内装部品からの揮発性有機化合物推定放散量を算出する部品ＶＯＣ放散量演算手段と、
該部品ＶＯＣ放散量演算手段により算出された各内装部品からの揮発性有機化合物推定放散量を積算して総揮発性有機化合物推定放散量を算出するＶＯＣ総放散量演算手段と、
を備えたことを特徴とする車室内装部品の揮発性有機化合物放散量推定装置。
【請求項８】
自動車の車室内空間に内装部品から放散される揮発性有機化合物の放散量を推定する車室内装部品の揮発性有機化合物放散量推定装置であって、
車室内に装着される内装部品毎に測定した種別毎の揮発性有機化合物放散量を表す部品ＶＯＣ放散量データ及び各内装部品の表面積を表す部品設計データを保持する部品データベースと、
該部品データベースの部品設計データに基づき各内装部品の表面積に対する車室内に装着した状態における対応する内装部品の車室内空間側に露出する車室内空間側面積の割合を部品係数として算出する部品係数演算手段と、
上記部品データベースの部品ＶＯＣ放散量データに基づく各内装部品における種別毎の揮発性有機化合物放散量と部品係数演算手段から当該内装部品の部品係数とを乗じて各内装部品から放散される種別毎の揮発性有機化合物推定放散量を算出する部品ＶＯＣ放散量演算手段と、
該部品ＶＯＣ放散量演算手段により算出された各内装部品からの種別毎の揮発性有機化合物推定放散量をそれぞれ積算して種別毎の総揮発性有機化合物推定放散量を算出するＶＯＣ総放散量演算手段と、
を備えたことを特徴とする車室内装部品の揮発性有機化合物放散量推定装置。
【発明の詳細な説明】
【技術分野】
【０００１】
本発明は、自動車の車室内空間に内装部品から放散される揮発性有機化合物の放散量を推定する車室内装部品の揮発性有機化合物放散量推定方法及び揮発性有機化合物放散量推定装置に関する。
【背景技術】
【０００２】
近年、例えば、住宅等の建物内における化学的物質による室内環境汚染、いわゆるシックハウスが問題視されており、建材等から放散するホルムアルデヒドをはじめとする揮発性有機化合物（ＶＯＣ）がその一因とされている。室内空間におけるＶＯＣの放散量は、例えば所定の環境条件下で室内空間の空気採取を行い、その空気質のサンプルを測定分析し確認される。
【０００３】
更に、建材のみならず、複合材料からなる家具等からもＶＯＣが放散されており、家具の設計段階においてＶＯＣの放散量を推定する家具設計システムが特許文献１によって提案されている。この特許文献１による家具設計システムは、予め家具に使用する各部材毎に測定したＶＯＣ放散量を部材データとして保持する部材データベースと、家具を設計して設計図面を作成する家具設計手段と、家具におけるＶＯＣ放散量を推定するシミュレーション手段とを備え、シミュレーション手段において設計図面から家具に使用する各部材の使用量を算出し、この部材の使用量と部材データベースからの対応する部材のＶＯＣ放散量に基づいて各部材から放散するＶＯＣ量を算出し、各ＶＯＣ放散量を積算して家具全体から放散するＶＯＣ量を推定する。
【０００４】
また、車室内環境を配慮した自動車の研究が進められており、例えば、特許文献２や特許文献３によってＶＯＣ放散量を抑制する自動車用内装材やシートクッションパッドが提案されている。
【０００５】
一方、車室内空間に内装部品から放散されるＶＯＣ量を推定及び評価するためには、車室内に装着されるインストルメントパネル、シート、ドアトリム、サイドトリム、フロアマット・・・及び他の内装部品を含む種々の内装部品を装着した状態で車室内空間に放散されるＶＯＣ放散量を測定して評価する必要があり、その測定には車両の仕様に応じた内装部品が装着された種々の試作車を作成し、試作車毎に車室内空間に放散さるＶＯＣ放散量を測定している。
【先行技術文献】
【特許文献】
【０００６】
【特許文献１】特開２００４−１２６６３８号公報
【特許文献２】特開２００８−２８４７２６号公報
【特許文献３】特開２００８−３６０４８号公報
【発明の概要】
【発明が解決しようとする課題】
【０００７】
車室内空間に放散されるＶＯＣ放散量を推定するにあたり、各車両の仕様に応じた内装部品を装着した試作車によって測定することで、ほぼ実車における車室内空間に放散されるＶＯＣ放散量を推定することができる。
【０００８】
しかし、車両の仕様は多種多様にわたり、かつ内装部品も車両の仕様に応じて内装部品のレイアウトや形状や材質等が異なる。この種々の内装品が装着される車室内空間に放散されるＶＯＣ放散量は車両の仕様によって種々異なり、仕様の異なる試作車全てにわたってＶＯＣ放散量を測定及び評価することは実質困難であった。
【０００９】
ここで、発明者は鋭意研究実験の結果、各内装部品から車室内空間に放散するＶＯＣ放散量は、内装部品の表面積と、当該内装部品を装着した際に車室内空間側に露出する車室内空間側面積との間に相関関係があり、内装部品の表面積に対する車室内空間側面積が占める割合を部品係数とすることで車室内に装着した各内装部品から放散されるＶＯＣ放散量を推定することを見いだした。
【００１０】
本発明は、かかる点に鑑みなされたもので、本発明の目的は、内装部品の表面積に対する車室内空間側面積が占める割合を部品係数とすることで、車両の設計段階で予め車室内空間に放散される揮発性有機化合物放散量を推定する車室内装部品の揮発性有機化合物放散量推定方法及び揮発性有機化合物放散量推定装置を提供することにある。
【課題を解決するための手段】
【００１１】
上記目的を達成する請求項１の発明は、自動車の車室内空間に内装部品から放散される揮発性有機化合物の放散量を推定する車室内装部品の揮発性有機化合物放散量推定方法であって、車室内に装着される内装部品を測定した揮発性有機化合物放散量を表す部品ＶＯＣ放散量データ及び内装部品の表面積を表す部品設計データを保持する部品データベースを有し、該部品データベースの部品設計データに基づき内装部品の表面積に対する車室内に装着した状態における対応する内装部品の車室内空間側に露出する車室内空間側面積の割合を部品係数として算出し、上記部品データベースの部品ＶＯＣ放散量データに基づく内装部品における揮発性有機化合物放散量と上記内装部品の部品係数とを乗じて内装部品からの揮発性有機化合物推定放散量を算出することを特徴とする。
【００１２】
これによると、内装部品を測定した揮発性有機化合物放散量を表す部品ＶＯＣ放散量データ及び内装部品の表面積を表す部品設計データを保持する部品データベースを有し、内装部品の表面積に占める車室内空間側面積を部品係数として内装部品から放散される揮発性有機化合物推定放散量を算出することで、内装部品を装着した実車の状態での車室内空間に放散される揮発性有機化合物放散量を推定する。これにより、車両設計段階で内装部品が装着された車室内空間において放散される揮発性有機化合物放散量を容易に推定及び評価することができる。
【００１３】
請求項２の発明は、自動車の車室内空間に内装部品から放散される揮発性有機化合物の放散量を推定する車室内装部品の揮発性有機化合物放散量推定方法であって、車室内に装着される内装部品毎に測定した揮発性有機化合物放散量を表す部品ＶＯＣ放散量データ及び各内装部品の表面積を表す部品設計データを保持する部品データベースを有し、該部品データベースの部品設計データに基づき各内装部品の表面積に対する車室内に装着した状態における対応する内装部品の車室内空間側に露出する車室内空間側面積の割合を部品係数として算出し、上記部品データベースの部品ＶＯＣ放散量データに基づく各内装部品における揮発性有機化合物放散量と上記当該内装部品の部品係数とを乗じて各内装部品からの揮発性有機化合物推定放散量を算出し、各内装部品からの揮発性有機化合物推定放散量を積算して総揮発性有機化合物推定放散量を算出することを特徴とする。
【００１４】
これによると、内装部品毎に測定した揮発性有機化合物放散量を表す部品ＶＯＣ放散量データ及び各内装部品の表面積を表す部品設計データを保持する部品データベースを有し、内装部品の表面積に占める車室内空間側面積を部品係数として各内装部品から放散される揮発性有機化合物推定放散量を算出して積算することで、内装部品を装着した実車の状態での車室内空間に放散される揮発性有機化合物放散量を推定する。これにより、車両設計段階で車両の仕様に応じて形状や材質等が異なる種々の内装部品が装着された車室内空間において放散される揮発性有機化合物放散量を容易に推定及び評価することができる。
【００１５】
請求項３の発明は、自動車の車室内空間に内装部品から放散される揮発性有機化合物の放散量を推定する車室内装部品の揮発性有機化合物放散量推定方法であって、車室内に装着される内装部品毎に測定した種別毎の揮発性有機化合物放散量を表す部品ＶＯＣ放散量データ及び各内装部品の表面積を表す部品設計データを保持する部品データベースを有し、該部品データベースの部品設計データに基づき各内装部品の表面積に対する車室内に装着した状態における対応する内装部品の車室内空間側に露出する車室内空間側面積の割合を部品係数として算出し、上記部品データベースの部品ＶＯＣ放散量データに基づく各内装部品における種別毎の揮発性有機化合物放散量と上記当該内装部品の部品係数とを乗じて各内装部品から放散される種別毎の揮発性有機化合物推定放散量を算出し、該部品ＶＯＣ放散量演算手段により算出された各内装部品からの種別毎の揮発性有機化合物推定放散量をそれぞれ積算して種別毎の総揮発性有機化合物推定放散量を算出することを特徴とする。
【００１６】
これによると、内装部品毎に測定した種別毎の揮発性有機化合物放散量を表す部品ＶＯＣ放散量データ及び各内装部品の表面積を表す部品設計データを保持する部品データベースを有し、内装部品の表面積に占める車室内空間側面積を部品係数として各内装部品から放散される種別毎の揮発性有機化合物推定放散量を演算して積算することで、内装部品を装着した実車の状態での車室内空間に放散される種別毎の揮発性有機化合物放散量を推定する。これにより、車両設計段階で車両の仕様に応じて形状や材質等が異なる種々の内装部品が装着された車室内空間において放散される種別毎の揮発性有機化合物放散量を容易に推定及び評価することができる。
【００１７】
請求項４の発明は、請求項１〜３のいずれか１項の車室内装部品の揮発性有機化合物放散量推定方法において、上記車室内空間側面積は、各内装部品の設計データベースに基づいて算出することを特徴とする。
【００１８】
これによると、車室内空間側面積を内装部品の部品設計データに基づいて算出し、部品係数を演算することから、設計段階で迅速かつ効率的に部品係数が得られ、低コストで効率的に揮発性有機化合物放散量を推定及び評価することができる。
【００１９】
請求項５の発明は、請求項１〜３のいずれか１項の車室内装部品の揮発性有機化合物放散量推定方法において、上記車室内空間側面積は、上記各内装部品の部品設計データと、内装部品が配設された車室内のインテリアを表す車室内デザインデータとに基づいて算出することを特徴とする。
【００２０】
これによると、部品データベースからの部品設計データと車室内デザインデータに基づいて各内装部品部の部品係数を算出することから、設計段階でより迅速かつより効率的に部品係数が得られ、低コストで効率的に揮発性有機化合物放散量を推定及び評価することができる。
【００２１】
請求項６の発明は、請求項１〜３のいずれか１項の車室内装部品の揮発性有機化合物放散量推定方法において、上記車室内空間側面積は、上記各内装部品の部品設計データと、車体設計の図面作成システムのＣＡＴＩＡデータとに基づいて算出されたことを特徴とする。
【００２２】
これによると、車室内のインテリアが作図された図面データであるＣＡＴＩＡデータに基づいて各内装部品部の部品係数を演算することから、設計段階で迅速かつ効率的に部品係数が得られ、低コストで効率的に揮発性有機化合物放散量を推定及び評価することができる。
【００２３】
上記目的を達成する請求項７の発明は、自動車の車室内空間に内装部品から放散される揮発性有機化合物の放散量を推定する車室内装部品の揮発性有機化合物放散量推定装置であって、車室内に装着される内装部品毎に測定した揮発性有機化合物放散量を表す部品ＶＯＣ放散量データ及び各内装部品の表面積を表す部品設計データを保持する部品データベースと、該部品データベースの部品設計データに基づき各内装部品の表面積に対する車室内に装着した状態における対応する内装部品の車室内空間側に露出する車室内空間側面積の割合を部品係数として算出する部品係数演算手段と、上記部品データベースの部品ＶＯＣ放散量データに基づく各内装部品における揮発性有機化合物放散量と部品係数演算手段から当該内装部品の部品係数とを乗じて各内装部品からの揮発性有機化合物推定放散量を算出する部品ＶＯＣ放散量演算手段と、該部品ＶＯＣ放散量演算手段により算出された各内装部品からの揮発性有機化合物推定放散量を積算して総揮発性有機化合物推定放散量を算出するＶＯＣ総放散量演算手段と、を備えたことを特徴とする。
【００２４】
これによると、内装部品毎に測定した揮発性有機化合物放散量を表す部品ＶＯＣ放散量データ及び各内装部品の表面積を表す部品設計データを保持する部品データベースを有し、部品係数演算手段において内装部品の表面積に占める車室内空間側面積を部品係数として算出し、部品ＶＯＣ放散量演算手段において部品データベースの部品ＶＯＣ放散量データに基づく各内装部品における揮発性有機化合物放散量と部品係数演算手段から当該内装部品の部品係数とを乗じて各内装部品から放散される揮発性有機化合物推定放散量を算出し、ＶＯＣ総放散量演算手段において各内装部品からの揮発性有機化合物推定放散量を積算して総揮発性有機化合物推定放散量を算出することで内装部品を装着した実車の状態での車室内空間に放散される揮発性有機化合物放散量を推定する。これにより、車両設計段階で車両の仕様に応じて形状や材質等が異なる種々の内装部品が装着された車室内空間において放散される揮発性有機化合物放散量を容易に推定及び評価することができる。
【００２５】
請求項８の発明は、自動車の車室内空間に内装部品から放散される揮発性有機化合物の放散量を推定する車室内装部品の揮発性有機化合物放散量推定装置であって、車室内に装着される内装部品毎に測定した種別毎の揮発性有機化合物放散量を表す部品ＶＯＣ放散量データ及び各内装部品の表面積を表す部品設計データを保持する部品データベースと、該部品データベースの部品設計データに基づき各内装部品の表面積に対する車室内に装着した状態における対応する内装部品の車室内空間側に露出する車室内空間側面積の割合を部品係数として算出する部品係数演算手段と、上記部品データベースの部品ＶＯＣ放散量データに基づく各内装部品における種別毎の揮発性有機化合物放散量と部品係数演算手段から当該内装部品の部品係数とを乗じて各内装部品から放散される種別毎の揮発性有機化合物推定放散量を算出する部品ＶＯＣ放散量演算手段と、該部品ＶＯＣ放散量演算手段により算出された各内装部品からの種別毎の揮発性有機化合物推定放散量をそれぞれ積算して種別毎の総揮発性有機化合物推定放散量を算出するＶＯＣ総放散量演算手段と、を備えたことを特徴とする。
【００２６】
これによると、内装部品毎に測定した種別毎の揮発性有機化合物放散量を表す部品ＶＯＣ放散量データ及び各内装部品の表面積を表す部品設計データを保持する部品データベースを有し、部品係数演算手段において内装部品の表面積に占める車室内空間側面積を部品係数として算出し、部品ＶＯＣ放散量演算手段において部品データベースの部品ＶＯＣ放散量データに基づく各内装部品における種別毎の揮発性有機化合物放散量と部品係数演算手段から当該内装部品の部品係数とを乗じて各内装部品から放散される種別毎の揮発性有機化合物推定放散量を算出し、ＶＯＣ総放散量演算手段において各内装部品からの種別毎の揮発性有機化合物推定放散量を積算して総揮発性有機化合物推定放散量を算出することで内装部品を装着した実車の状態での車室内空間に放散される種別毎の揮発性有機化合物放散量を推定する。これにより、車両設計段階で車両の仕様に応じて形状や材質等が異なる種々の内装部品が装着された車室内空間において放散される揮発性有機化合物放散量を容易に推定及び評価することができる。
【発明の効果】
【００２７】
本発明によると、内装部品に測定した揮発性有機化合物放散量を表す部品ＶＯＣ放散量データ及び内装部品の表面積を表す部品設計データを保持する部品データベースを有し、内装部品の表面積に占める車室内空間側面積の割合を部品係数として各内装部品から放散される揮発性有機化合物推定放散量を算出することで、内装部品を装着した実車の状態での車室内空間に放散される揮発性有機化合物放散量が推定及び評価することができる。
【図面の簡単な説明】
【００２８】
【図１】本発明の第１実施の形態における概略構成を示す機能ブロック図である。
【図２】部品データベースを模式的に示す図である。
【図３】チェンバー法によるＶＯＣ発生量測定の概要を示す図である。
【図４】部品表面積データベースを模式的に示す機能ブロック図である。
【図５】車室内に配置される内装部品の概要を示す車室内斜視図である。
【図６】車室内空間側に露出する範囲をハッチングで示すインストルメントパネルの斜視図である。
【図７】内装部品の部品係数の例を示す図である。
【図８】表示手段における表示の一例を示す図である。
【図９】本発明の第２実施の形態における概略構成を示す機能ブロック図である。
【図１０】部品データベースを模式的に示す図である。
【図１１】車室内デザインデータを模式的に示す図である。
【図１２】車室内空間側に露出する範囲をハッチングで示すインストルメントパネルの斜視図である。
【図１３】本発明の第３実施の形態における概略構成を示す機能ブロック図である。
【図１４】部品データベースを模式的に示す図である。
【図１５】ＣＡＴＩＡデータを模式的に示す図である。
【発明を実施するための形態】
【００２９】
（第１実施の形態）
本発明による車室内装部品の揮発性有機化合物放散量推定方法及び揮発性有機化合物放散量推定装置の第１実施の形態について図１乃至図９を参照して説明する。
【００３０】
図１は、車室内装部品の揮発性有機化合物放散量推定装置の概略構成を示す機能ブロック図である。
【００３１】
本実施の形態では、予め車室内に配設される各内装部品の形状、寸法、材質、表面積等を表す部品設計データ及び全表面が露出した状態における各内装部品から放散される種別毎のＶＯＣ放散量を表す部品ＶＯＣ放散量データを有する部品データベース１１と、車室内に装着した状態における各内装部品の車室内空間側に露出する車室内空間側面積を表す車室内空間側面積データを有する部品面積データベース１４と、各内装部品の表面積に対する車室内に装着した状態における対応する内装部品の車室内空間側に露出する車室内空間側面積の割合を部品係数として算出する部品係数演算手段１６と、各内装部品から放散されるＶＯＣ推定放散量を演算する部品ＶＯＣ放散量演算手段１８と、部品ＶＯＣ放散量演算手段１８からの各内装部品におけるＶＯＣ放散量データに基づいて種別毎のＶＯＣ推定放散量及び総ＶＯＣ推定放散量を算出するＶＯＣ総放散量演算手段２０と、ＶＯＣ推定放散量を表示する表示手段２２を備える。
【００３２】
部品データベース１１は、図２に模式的に示すように、車室内に配設される例えば、インストルメントパネルＡ、ステアリングホイールＢ、シートＣ、ドアトリムＤ、ルーフトリムＥ、フロアマットＦ・・・及び他の内装部品を含む各内装部品のそれぞれの全表面積ＡＳ、ＢＳ、ＣＳ・・・、及び形状等を表す部品ＣＡＤデータからなる部品設計データ１２Ａ、１２Ｂ、１２Ｃ・・・と、例えばチャンバー法で測定した各内装部品から放散されるホルムアルデヒド、トルエン、エチレン・・・等の種類毎のＶＯＣ放散量を表す部品ＶＯＣ放散量データ１３Ａ、１３Ｂ、１３Ｃ・・・を含む部品データ１１Ａ、１１Ｂ、１１Ｃ・・・を保持する。
【００３３】
チャンバー法によるＶＯＣ放散量測定の概要を図３に示す。この測定法は、ケミカルクリーン空気供給装置４１、恒温室４２、恒温室４２内に配置された例えば容積が１ｍ3或いは２ｍ3のチャンバー４３、捕集管４４、ポンプ４５等を有する。チャンバー４３内には測定対象の内装部品、例えばインストルメントパネルＡが配置される。
【００３４】
そして、ケミカルクリーン空気供給装置４１から恒温室４２内のチャンバー４３内にケミカルクリーン空気、即ち、ＶＯＣが極力除去された空気を予め設定された条件下、例えば温度４０℃、湿度１９％ＲＨ、換気率０．５／Ｈで供給し、４．５時間放置した後、ＶＯＣを捕集管４４に捕捉し、捕集管４４に捕捉されたＶＯＣから、例えばホルムアルデヒド、トルエン、エチレン・・・等のＶＯＣを種別毎に検出し、かつそれぞれの対応する種別毎のＶＯＣ放散量ＡＶａ、ＡＶｂ、ＡＶｃ・・・を測定して種別毎の部品ＶＯＣ放散量データ１３Ａを得る。この種別毎のＶＯＣ検出方法は、詳細な説明を省略するが、例えばガスクロマトグラフ法等の周知の方法によって行われる。同様に、ステアリングホイールＢから放散される種別毎のＶＯＣ放散量ＢＶａ、ＢＶｂ、ＢＶｃ・・・、シートＣからのＶＯＣ放散量ＣＶａ、ＣＶｂ、ＣＶｃ・・・等の他の内装品においても種別毎のＶＯＣ放散量を測定して各内装部品における部品ＶＯＣ放散量データ１３Ｂ、１３Ｃ、１３Ｄ・・・を得る。
【００３５】
部品表面積データベース１４には、図４に模式的に示すように車室内に配設したインストルメントパネルＡ、ステアリングホイールＢ、シートＣ・・・等各内装部品を車室内に装着した状態において車室内空間側に露出する面積である車室内空間側面積Ａｓ、Ｂｓ、Ｃｓ・・・を表すける車室内空間側面積データ１５Ａ、１５Ｂ、１５Ｃ・・・を保持する。
【００３６】
この車室内空間側面積、例えばインストルメントパネルＡの車室内空間側面積Ａｓは、図５に示すように車両の仕様に応じて他の内装部品と共に車室内に装着された状態で、隣接するステアリングホイールＢ、ドアトリムＤ及びインストルメントパネルＡに取り付けられるエアベンチレーションやメータ類及び車体部材によって実質的に被覆される部分を除いた車室内空間側に露出する範囲の表面積であって、例えば、図６に示すようにインストルメントパネルＡにハッチングＡｓで示す範囲である。この車室内空間側面積Ａｓは、インストルメントパネルＡの部品データ１１Ａに基づいて算出する。また、この車室内空間側面積Ａｓは、実際にインストルメントパネルＡを計測することによっても設定できる。
【００３７】
このインストルメントパネルＡ、ステアリングホイールＢ、シートＣ・・・等各内装部品の車室内空間側面積Ａｓ、Ｂｓ、Ｃｓ・・・がそれぞれ車室内空間側面積データ１５Ａ、１５Ｂ、１５Ｃ・・・として保持される。
【００３８】
部品係数演算手段１６は、部品データベース１１からの部品設計データ１２Ａ、１２Ｂ、１２Ｃ・・・と部品面積データベース１４からの車室内空間側面積データ１５Ａ、１５Ｂ、１５Ｃ・・・に基づいて各内装部品の表面積ＡＳ、ＢＳ、ＣＳ・・・に対する車室内空間側面積Ａｓ、Ｂｓ、Ｃｓ・・・が占める割合を部品係数として算出して部品係数データ１７Ａ、１７Ｂ、１７Ｃ・・・として保持する。例えば、インストルメントパネルＡの部品係数Ａｋは、インストルメントパネルＡの表面積ＡＳに対する車室内空間側面積Ａｓであって、車室内空間側面積Ａｓを表面積ＡＳで除した値、例えば０．４で表される（Ａｋ＝Ａｓ／ＡＳ＝０．４）。即ち、インストルメントパネルＡの表面積ＡＳに対して車室内に装着した際に車室内空間側に露出する車室内空間側面積Ａｓが４０％で部品係数は０．４である。
【００３９】
同様に、ステアリングホイールＢ、シートＣ、ドアトリムＤ、ルーフトリムＥ、フロアマットＦ・・・等の各内装部品においても部品係数Ｂｋ、Ｃｋ、Ｄｋ・・・を算出して設定する。主な内装部品の部品係数の一例を図７に示す。
【００４０】
部品ＶＯＣ放散量演算手段１８は、部品データベース１１から供給される各内装部品の部品ＶＯＣ放散量データ１３Ａ、１３Ｂ、１３Ｃ・・・と部品係数演算手段１６からの部品係数データ１７Ａ、１７Ｂ、１７Ｃ・・・における対応する部品係数Ａｋ、Ｂｋ、Ｃｋ・・・を乗じて各内装部品から放散される種類毎のＶＯＣ推定放散量を算出してＶＯＣ放散量データ１９Ａ、１９Ｂ、１９Ｃ・・・として保持する。例えば、車室内に装着されたインストルメントパネルＡから放散されるホルムアルデヒドの推定放散量Ａｖａは、部品ＶＯＣ放散量データ１３Ａのホルムアルデヒドの放散量ＡＶａにインストルメントパネルＡの部品係数Ａｋを乗じた値、即ちＡｖａ＝ＡＶａ×Ａｋ＝ＡＶａ×０．４となる。また、インストルメントパネルＡから放散されるトルエンの推定放散量Ａｖｂは、部品ＶＯＣ放散量データ１３Ａのトルエンの放散量ＡＶｂに部品係数Ａｋである０．４を乗じた値、即ちＡｖｂ＝ＡＶｂ×０．４となる。同様に、インストルメントパネルＡから放散されるスチレン、テトラデカン・・・等他の種類のＶＯＣおいても放散データ１３Ａの放散量ＡＶｃ、ＡＶｄ・・・に部品係数Ａｋである０．４を乗じて推定放散量Ａｖｃ、Ａｖｄ・・・を算出する。
【００４１】
同様に、車室内に装着されたステアリングホイールＢから放散されるホルムアルデヒドの推定放散量Ｂｖａは、部品ＶＯＣ放散量データ１３Ｂのホルムアルデヒドの放散量ＢＶａにステアリングホイールＢの部品係数Ｂｋを乗じた値、即ちＢｖａ＝ＢＶａ×Ｂｋ＝ＢＶａ×０．９となる。また、ステアリングホイールＢから放散されるトルエンの推定放散量Ｂｖｂは、部品ＶＯＣ放散量データ１３Ｂのトルエンの放散量ＢＶｂに部品係数Ｂｋである０．９を乗じた値、即ちＢｖｂ＝ＢＶｂ×０．９となる。同様に、ステアリングホイールＢから放散されるスチレン、テトラデカン・・・等他の種類のＶＯＣにおいても部品ＶＯＣ放散量データ１３Ｂの放散量ＢＶｃ、ＢＶｄ・・・に部品係数Ｂｋである０．９を乗じて推定放散量Ｂｖｃ、Ｂｖｄ・・・を算出する。
【００４２】
また、同様にシートＣ、ドアトリムＤ・・・等他の内装部品においても放散データ１３Ｃ、１３Ｄ・・・の種類毎のＶＯＣ放散量に対応する部品係数Ｃｋ、Ｄｋ・・・を乗じて各内装部品から放散される種別毎のＶＯＣの推定放散量を算出する。
【００４３】
ＶＯＣ総放散量演算手段２０は、部品ＶＯＣ放散量演算手段１８におけるＶＯＣ放散量データ１９Ａ、１９Ｂ、１９Ｃ・・・として保持された各内装部品から放散される種別毎のＶＯＣの推定放散量をその種別毎に積算にて各種別毎の総種別ＶＯＣ推定発散量を演算する。例えば、ホルムアルデヒドの総種別ＶＯＣ推定放散量ΣＶａは、インストルメントパネルＡ、ステアリングホイールＢ、シートＣ・・・の各内装部品の種別ＶＯＣ放散推定量Ａｖａ、Ｂｖａ、Ｃｖａ・・・を積算した値（ΣＶａ＝Ａｖａ＋Ｂｖａ＋Ｃｖａ・・・）となる。また、同様にトルエンの総種別ＶＯＣ推定放散量ΣＶｂは、インストルメントパネルＡ、ステアリングホイールＢ、シートＣ・・・の各内装部品の放散推定量Ａｖｂ、Ｂｖｂ、Ｃｖｂ・・・を積算した値（ΣＶｂ＝Ａｖｂ＋Ｂｖｂ＋Ｃｖｂ・・・）となる。同様にエチレン、スチレン、・・・等他の種類のＶＯＣの総種別ＶＯＣ放散推定量ΣＶｃ、ΣＶｄ・・・を算出する。
【００４４】
また、これらホルムアルデヒド、トルエン、エチレン・・・等の種別毎の総種別ＶＯＣ放散推定量ΣＶａ、ΣＶｂ、ΣＶｃ・・・を積算して総ＶＯＣ推定放散量ΣＶを算出する（ΣＶ＝ΣＶａ＋ΣＶｂ＋ΣＶｃ＋・・・）。
【００４５】
これら種別毎の総種別ＶＯＣ放散推定量ΣＶａ、ΣＶｂ、ΣＶｃ・・・、総ＶＯＣ推定放散量ΣＶ、或いは各内装部品から種別毎のＶＯＣ放散推定量等を適宜表示手段２２に切り替え表示され、必要に応じて記録媒体等に適宜記録及び印刷される。この表示手段２２による表示例の一例を図８に示す。
【００４６】
以上説明したように、本実施の形態によると、車室内に装着する各内装部品から放散される種別毎のＶＯＣ放散量をチャンバー法等によって実測して得られた部品ＶＯＣ発生量データに、内装部品の表面積に占める車室内空間側面積の割合を部品係数として乗じて各内装部品から放散される種別毎のＶＯＣ推定放散量を算出してそれぞれ積算することで、内装部品を装着した実車の状態での車室内空間に放散される種別毎のＶＯＣ放散量及び総ＶＯＣ放散量を推定することができる。これにより、車両の仕様は多種にわたり、かつ内装部品も車両の仕様に応じて形状や材質等が異なる種々の内装品が配設される車室内空間において放散される種別毎ＶＯＣ放散量を容易に推定することができる。これにより、仕様の異なる試作車等を用いることなく車両の設計段階で車両の仕様に応じて種別毎のＶＯＣ放散量の車室内空間に放散される総ＶＯＣ放散量を容易に推定することができ、低コストで効率的にＶＯＣ放散量を評価することができる。
【００４７】
また、設計段階で車室内に配設した際の各内装部品から放散されるＶＯＣ放散量を推定することができることから、車両におけるＶＯＣ放散量目標値に対する各内装部品のＶＯＣ放散量目標値を決定することが可能になり、ＶＯＣ放散量目標値を達成可能な内装部品を用いた車両の設計が効率的、かつ容易になり車両設計の迅速化及び設計コストの抑制が期待できる。
【００４８】
（第２実施の形態）
本発明による車室内装部品の揮発性有機化合物放散量推定方法及び揮発性有機化合物放散量推定装置の第２実施の形態について図９乃至図１２を参照して説明する。なお、図９乃至１２図において図１乃至図８と対応する構成部分に同一符号を付することで該部の詳細な説明は省略する。
【００４９】
図９は、本実施の形態における車室内装部品の揮発性有機化合物放散量推定装置の概略構成を示す機能ブロック図である。
【００５０】
本実施の形態では、予め車室内に配設される各内装部品の形状、寸法、材質、表面積等を表す部品設計データ及び全表面積が露出した状態において各内装部品から放散される種別毎のＶＯＣ放散量を表す部品ＶＯＣ放散データを有する部品データベース２５と、部品データベース２５からの部品設計データと車室内デザインデータベース２７からの車室内デザインデータに基づいて各内装部品の表面積に対する車室内に配設した状態における車室内空間側に露出する車室内空間側面積の割合を部品係数として算出する部品係数演算手段２６と、部品データベース２５からの部品ＶＯＣ放散データと部品係数演算手段２６からの部品係数データに基づいて各内装部品から放散されるＶＯＣ推定放散量を算出する部品ＶＯＣ放散量演算手段１８と、部品ＶＯＣ放散量演算手段１８からの各内装部品におけるＶＯＣ放散量データに基づいて総ＶＯＣ推定放散量を算出するＶＯＣ総放散量演算手段２０と、ＶＯＣ推定放散量を表示する表示手段２２を備える。なお、部品ＶＯＣ放散量演算手段１８、ＶＯＣ総放散量演算手段２０、及び表示手段２２は、第１実施の形態と同様の構成であり、詳細な説明は省略する。
【００５１】
部品データベース２５には、図１０に模式的に示すように、車室内に配設される例えば、インストルメントパネルＡ、ステアリングホイールＢ、シートＣ、ドアトリムＤ、ルーフトリムＥ、フロアマットＦ・・・及び他の内装部品を含む各内装部品の形状及び寸法等を表す部品ＣＡＤデータからなる部品設計データ１２Ａ、１２Ｂ、１２Ｃ・・・及び、例えば第１実施の形態と同様にチャンバー法で測定した各内装部品から放散されるホルムアルデヒド、トルエン、エチレン・・・等の種別毎のＶＯＣ放散量を表す部品ＶＯＣ放散量データ１３Ａ、１３Ｂ、１３Ｃ・・・を含む部品データ２５Ａ、２５Ｂ、２５Ｃ・・・を保持する。
【００５２】
車室内デザインデータベース２７は、車両の各仕様に応じた車室内、例えば、図１１に模式的に示すようにインストルメントパネルＡ、ステアリングホイールＢ、シートＣ、ドアトリムＤ、ルーフトリムＥ、フロアマットＦ・・・及び他の内装部品が装着された車室内のインテリアを表したデザインＣＡＤデータである車室内デザインデータ２８Ａ、２８Ｂ、２８Ｃ・・・を有する。
【００５３】
一方、部品係数演算手段２６は、部品データベース２５から供給される各内装部品の部品設計データ１２Ａ、１２Ｂ、１２Ｃ・・・と車室内デザインデータベース２７からの車両の仕様に応じた車室内デザインデータ２８Ａ、２８Ｂ、２８Ｃ・・・を比較し、各内装部品の表面積ＡＳ、ＢＳ、ＣＳ・・・対して車室内空間側面積Ａｓ、Ｂｓ、Ｃｓ・・・が占める割合を部品係数Ａｋ、Ｂｋ、Ｃｋ・・・として算出して部品係数データ１７Ａ、１７Ｂ、１７Ｃ・・・として保持する。
【００５４】
例えば、インストルメントパネルＡの部品係数Ａｋは、図１１に示すようにインストルメントパネルＡ、ステアリングホイールＢ、シートＣ、ドアトリムＤ、ルーフトリムＥ、フロアマットＦ・・・及び他の内装部品が配設された車室内のインテリアを表したデザインＣＡＤデータである車室内デザインデータ２８Ａによって表されるインストルメントパネルＡの車室内空間側に露出される範囲の輪郭を輪郭データとして特定する。この輪郭データと部品設計データ１２Ａを比較、いわゆる重ね合わせて図１２に示すインストルメントパネルＡにおける車室内空間側に露出する範囲の輪郭Ａｂを設定し、部品設計データ１２Ａを参照して輪郭Ａｂ内のハッチングで示す車室内空間面積Ａｓを算出する。
【００５５】
この車室内空間側面積Ａｓを表面積ＡＳで除した値を部品係数Ａｋとし算出する。同様に、ステアリングホイールＢ、シートＣ、ドアトリムＤ、ルーフトリムＥ、フロアマットＦ・・・等各内装部品においても部品係数Ｂｋ、Ｃｋ、Ｄｋ・・・を算出して設定する。
【００５６】
部品ＶＯＣ放散量演算手段１８は、第１実施の形態と同様に部品データベース２５から供給される各内装部品の部品ＶＯＣ放散データ１３Ａ、１３Ｂ、１３Ｃ・・・と部品係数演算手段２６からの部品係数データ１７Ａ、１７Ｂ、１７Ｃ・・・における対応する部品係数Ａｋ、Ｂｋ、Ｃｋ・・・を乗じて各内装部品から放散される各種別のＶＯＣ推定放散量Ｖａ、Ｖｂ、Ｖｃ・・・を算出してＶＯＣ放散量データ１９Ａ、１９Ｂ、１９Ｃ・・・として保持する。
【００５７】
ＶＯＣ総放散量演算手段２０は、部品ＶＯＣ放散量演算手段１８におけるＶＯＣ放散量データ１９Ａ、１９Ｂ、1９Ｃ・・・として保持された各内装部品から放散される種別毎のＶＯＣの推定放散量及び総種別ＶＯＣ推定発散量を算出する。
【００５８】
これら種別毎の総種別ＶＯＣ放散推定量ΣＶａ、ΣＶｂ、ΣＶｃ・・・、総ＶＯＣ推定放散量ΣＶ、或いは各内装部品から種別毎のＶＯＣ放散推定量等を適宜表示手段２２に切り替え表示され、必要に応じて記録媒体等に適宜記録及び印刷される。
【００５９】
本実施の形態によると、第１実施の形態に加え、部品データベース２５からの部品設計データと車室内デザインデータベース２７からの車室内デザインデータ２８Ａ、２８Ｂ、２８Ｃ・・・に基づいて各内装部品部の部品係数を演算することから、設計段階でより迅速かつより効率的に部品係数が得られ、低コストで効率的にＶＯＣの種類や量を測定及び評価することができる。
【００６０】
（第３実施の形態）
本発明による車室内装部品の揮発性有機化合物放散量推定方法及び揮発性有機化合物放散量推定装置の第３実施の形態について図１３乃至図１５を参照して説明する。なお、図１３乃至図１５において図１乃至図８と対応する構成部分に同一符号を付することで該部の詳細な説明は省略する。
【００６１】
図１３は、本実施の形態における車室内装部品の揮発性有機化合物放散量推定装置の概略構成を示す機能ブロック図である。
【００６２】
本実施の形態では、予め車室内に配設される各内装部品の形状、寸法、材質、表面積等を表す部品設計データ１２Ａ、１２Ｂ、１２Ｃ・・・及び全表面が露出した状態における各内装部品から放散される種別毎のＶＯＣ放散量を表す部品ＶＯＣ放散量データ１３Ａ、１３Ｂ、１３Ｃ・・・を表す部品データベース３５と、部品データベース３５からの部品設計データ１２Ａ、１２Ｂ、１２Ｃ・・・と車体設計に使用される図面作成システム、いわゆるＣＡＴＩＡ３７を用いて作図された図面データであるＣＡＴＩＡデータ３８Ａ、３８Ｂ、３８Ｃ・・・に基づいて各内装部品の表面積に対する車室内に装着した状態における対応する内装部品の車室内空間側に露出する車室内空間側面積の割合を部品係数として算出する部品係数演算手段３６と、部品データベース３５からの部品ＶＯＣ放散量データ１３Ａ、１３Ｂ、１３Ｃ・・・と部品係数演算手段３６からの部品係数データに基づいて各内装部品から放散されるＶＯＣ推定放散量を演算する部品ＶＯＣ放散量演算手段１８と、ＶＯＣ推定放散量を演算するＶＯＣ総放散量演算手段２０と、ＶＯＣ推定放散量を表示する表示手段２２を備える。なお、部品ＶＯＣ放散量演算手段１８、ＶＯＣ総放散量演算手段２０、及び表示手段２２は、第１実施の形態と同様の構成であり、詳細な説明は省略する。
【００６３】
部品データベース３５は、車室内に配設される例えば、インストルメントパネルＡ、ステアリングホイールＢ、シートＣ、ドアトリムＤ、ルーフトリムＥ、フロアマットＦ・・・及び他の内装部品を含む各内装部品の形状、寸法等の部品ＣＡＤデータからなる部品設計データ１２Ａ、１２Ｂ、１２Ｃ・・・及び、例えば第１実施の形態と同様にチャンバー法で測定した各内装部品から放散されるホルムアルデヒド、トルエン、エチレン・・・等の種別毎のＶＯＣ放散量を表す部品ＶＯＣ発生量データ１３Ａ、１３Ｂ、１３Ｃ・・・を含む部品データ３５Ａ、３５Ｂ、３５Ｃ、３５Ｄ・・・を保持する。
【００６４】
ＣＡＴＩＡ３７は、車両の各仕様に応じて車室内、例えば図１４に示すようにインストルメントパネルＡ、ステアリングホイールＢ、シートＣ、ドアトリムＤ、ルーフトリムＥ、フロアマットＦ・・・及び他の内装部品を装着した車室内のインテリアが作図された図面データであるＣＡＴＩＡデータ３８Ａ、３８Ｂ、３８Ｃ・・・を有する。
【００６５】
一方、部品係数演算手段３６は、部品データベース３５から供給される内装部品の部品設計データ１２Ａ、１２Ｂ、１２Ｃ・・・とＣＡＴＩＡ３７のＣＡＴＩＡデータ３８Ａ、３８Ｂ、３８Ｃ・・・を比較し、各内装部品の表面積ＡＳ、ＢＳ、ＣＳ・・・に占める車室内空間側面積Ａｓ、Ｂｓ、Ｃｓ・・・の割合を部品係数として算出して部品係数データ１７Ａ、１７Ｂ、１７Ｃ・・・として保持する。
【００６６】
例えば、インストルメントパネルＡの部品係数Ａｋは、図１４に示すようにインストルメントパネルＡ、ステアリングホイールＢ、シートＣ、ドアトリムＤ、ルーフトリムＥ、フロアマットＦ・・・及び他の内装部品が装着された車室内のインテリアが作図されたＣＡＴＩＡデータ３８Ａ、３８Ｂ、３８Ｃ・・・によって表されるインストルメントパネルＡの車室内に露出される範囲の輪郭を特定する。このインストルメントパネルＡにおけるリ輪郭は、ＣＡＴＩＡデータ３８Ａ、３８Ｂ、３８Ｃ・・・に基づいて隣接する車体部材及び内装部品との隙間、即ちクリアランスを考慮して隣接する車体部材及び内装部品から予め設定された閾値の離間距離以下を車室内側に露出しない範囲と仮定し、隣接する内装部品と離間する閾値、例えば８ｍｍ以上の範囲を車室内空間側に露出する車室内空間側面積とする。即ち、図１５に示すインストルメントパネルＡにおける車室内空間側に露出する範囲の輪郭Ａｂを設定し、部品設計データ１２Ａを参照して輪郭Ａｂ内のハッチングで示す車室内空間面積Ａｓを演算する。なお、隣接する内装部品と離間する閾値は隣接する車体部材及び内装部品との隙間等を考慮して適宜設定される。
【００６７】
この車室内空間側面積Ａｓを表面積ＡＳで除算した値を部品係数Ａｋとして算出する。同様に、ステアリングホイールＢ、シートＣ・・・等各内装部品においても部品係数Ｂｋ、Ｃｋ・・・を算出して部品係数データ１７Ａ、１７Ｂ、１７Ｃ・・・として保持する。
【００６８】
部品ＶＯＣ放散量演算手段１８は、第１実施の形態と同様に部品データベース２５から供給される各内装部品の部品ＶＯＣ放散量データ１３Ａ、１３Ｂ、１３Ｃ・・・と部品係数演算手段２６からの部品係数データ１７Ａ、１７Ｂ、１７Ｃ・・・における対応する部品係数Ａｋ、Ｂｋ、Ｃｋ・・・を乗じて各内装部品から放散される各種別毎のＶＯＣの推定放散量を演算してＶＯＣ放散量データ１９Ａ、１９Ｂ、１９Ｃ・・・として保持する。
【００６９】
ＶＯＣ総放散量演算手段２０は、部品ＶＯＣ放散量演算手段１８におけるＶＯＣ放散量データ１９Ａ、１９Ｂ、１９Ｃ・・・として保持された各内装部品から放散される各種別のＶＯＣ推定放散量を積算にて各種別の総種別ＶＯＣ推定発散量を演算する。
【００７０】
これら種別毎の総種別ＶＯＣ放散推定量ΣＶａ、ΣＶｂ、ΣＶｃ・・・、総ＶＯＣ推定放散量ΣＶ、或いは各内装部品から種別毎のＶＯＣ放散推定量等を適宜表示手段２２に切り替え表示され、必要に応じて記録媒体等に適宜記録及び印刷される。
【００７１】
本実施の形態によると、第１実施の形態に加え、部品データベース３５からの部品設計データと車室内のインテリアが作図された図面データであるＣＡＴＩＡデータ３８Ａ、３８Ｂ、３８Ｃ・・・に基づいて各内装部品部の部品係数を演算することから、設計段階でより迅速かつより効率的に部品係数が得られ、低コストで効率的にＶＯＣの種類や量を測定及び評価することができる。
【符号の説明】
【００７２】
１１        部品データベース
１１Ａ      部品データ
１２Ａ、１２Ｂ、１２Ｃ・・・    部品設計データ
１３Ａ、１３Ｂ、１３Ｃ・・・    部品ＶＯＣ放散量データ
１４        部品面積データベース
１５Ａ、１５Ｂ、１５Ｃ・・・    車室内空間側面積データ
１６        部品係数演算手段
１８        部品ＶＯＣ放散量演算手段
２０        ＶＯＣ総放散量演算手段
２２        表示手段
２５        部品面積データベース
２５Ａ      部品データ
２６        部品係数演算手段
２８Ａ、２８Ｂ、２８Ｃ・・・    車室内デザインデータ
３５        部品データベース
３６        部品係数演算手段
３８Ａ、３８Ｂ、３８Ｃ・・・ＣＡＴＩＡデータ（図面データ）
Ａ          インストルメントパネル（内装部品）
Ｂ          ステアリングホイール（内装部品）
Ｃ          シート（内装部品）
Ｄ          ドアトリム（内装部品）
Ｅ          ルーフトリム（内装部品）
Ｆ          フロアマット（内装部品）
ΣＶａ、ΣＶｂ、ΣＶｃ・・・    総種別ＶＯＣ推定放散量
ΣＶ        総ＶＯＣ推定放散量
【図１】
2010266348.tif 000003
【図２】
2010266348.tif 000004
【図３】
2010266348.tif 000005
【図４】
2010266348.tif 000006
【図５】
2010266348.tif 000007
【図６】
2010266348.tif 000008
【図７】
2010266348.tif 000009
【図８】
2010266348.tif 000010
【図９】
2010266348.tif 000011
【図１０】
2010266348.tif 000012
【図１１】
2010266348.tif 000013
【図１２】
2010266348.tif 000014
【図１３】
2010266348.tif 000015
【図１４】
2010266348.tif 000016
【図１５】
2010266348.tif 000017